(57)【要約】【課題】冷風及び温風を、適正な方向に吹出すようにして室内を良好に循環させ効率の良い冷暖房効果が期待できる洗濯乾燥機を提供する。【解決手段】洗濯乾燥機は、乾燥運転時の温風化するためのヒートポンプ３５と、該ヒートポンプ３５を利用して生成した冷風を本体１の吹出口４から吹出し可能とした冷風吹出手段と、加熱手段により加熱された空気を温風化し、前記吹出口４から吹出し可能とした温風吹出手段と、前記吹出口４を臨む位置に上下方向に回動可能なルーバー６１とを備え、前記冷風吹出手段を実行するとき、前記ルーバー６１が有する開口部６１ａを上位に回動制御し、前記温風吹出手段を実行するときは、前記開口部６１ａを下位に回動制御して、送風方向を変更可能とした。【選択図】図１
2009034187.tif 000002
【特許請求の範囲】
【請求項１】
外郭を形成する本体と、
前記本体内に弾性支持された水槽と、
前記水槽内に回転可能に設けられ、洗濯物の洗い、脱水、乾燥に用いられる回転槽と、
前記水槽に設けられた空気の出入口に連通接続され、空気を循環可能とする循環路と、
前記循環路中に設けられ、前記水槽内に空気を循環供給するための循環ファンと、
前記循環路に設けられ、前記本体内の空気を当該循環路内に導入可能とする導入口と、
前記循環路の前記導入口から導入される空気を加熱する加熱手段と、
前記循環路から分岐して形成され、前記本体に形成された吹出口に連通した送風路と、
前記送風路及び前記吹出口を経て前記本体外へ空気を吹出す送風ファンと、
前記送風路中に設けられ、前記吹出口から吹出される送風の向きを上下方向に変更するため、前記吹出口を臨む開口部が回動変位するルーバーと、
前記送風路を、前記循環路に対して連通及び遮断状態に切替えるべく設けたダンパ装置と、
前記循環路に蒸発器と凝縮器とを介在するとともに、圧縮機及び膨張弁を具備した冷凍サイクルを有し、乾燥運転時に循環する空気を温風化する加熱手段として機能するヒートポンプと、
前記送風ファンを駆動し、循環空気と逆方向の空気流を、前記ヒートポンプの蒸発器を通して冷風化し、この冷風を前記送風路及び吹出口から吹出し可能とした冷風吹出手段と、
前記送風ファンを駆動し、前記導入口から導入した空気を前記加熱手段により温風化し、この温風を前記送風路及び吹出口から吹出し可能とした温風吹出手段と、
洗濯物の洗い、脱水、乾燥運転、前記ルーバーの回動、前記冷風吹出手段及び前記温風吹出手段等を制御する制御手段とを備え、
前記制御手段は、前記冷風吹出手段を実行するとき、前記吹出口に対し前記ルーバーの開口部を上位に回動し、前記温風吹出手段を実行するときは、前記吹出口に対し前記ルーバーの開口部を下位に回動して、送風方向を変更するようにしたことを特徴とする洗濯乾燥機。
【請求項２】
ルーバーを回動可能な風向操作部を設け、
前記ルーバーを任意の回動位置に設定できるようにしたことを特徴とする請求項１記載の洗濯乾燥機。
【請求項３】
ルーバーは、冷風又は温風吹出手段を実行した後、回動変位して吹出口を閉鎖状態に維持するとともに、
制御手段は、直前の冷風又は温風吹出手段を実行したときの開口部の位置を記憶し、次の冷風又は温風吹出手段を実行するとき、前記記憶した位置に開口部を設定するようにしたことを特徴とする請求項２記載の洗濯乾燥機。
【発明の詳細な説明】
【技術分野】
【０００１】
本発明は、室内に冷風及び温風を吹出す冷暖房機能を具備した洗濯乾燥機に関する。
【背景技術】
【０００２】
近年、洗濯乾燥機に、乾燥運転時の温風化の熱源としてヒートポンプが具備されているものがあり、このヒートポンプを利用して空気を冷却し、室内に冷却した空気（冷風）を吹出す冷房運転が可能な洗濯乾燥機が提案されている（特許文献１参照）。
【０００３】
例えば、上記特許文献１に記載されているこの種の洗濯乾燥機は、水槽の前面の端面部の上部に温風出口が形成され、水槽の後面の端面部の上部に温風入口が形成され、この温風出口と温風入口とを連結させて連通した通風路が形成されている。この通風路中には、循環用送風機、ヒートポンプを構成する蒸発器及び凝縮器等が設けられ、通風路外に圧縮機が設けられている。又、通風路の蒸発器の前側から機外に通じるように吐出風路が形成され、吐出風路の内部には、吐出用送風機が設けられている。更に、吐出風路の出口は、斜め上方を指向するとともに、この吐出風路の内部に、同方向に傾斜するルーバーが設けられていて、つまり、吐出方向は固定的に設定されている。
【０００４】
そして、乾燥運転時では、蒸発器で循環路内の空気の除湿が行われ、凝縮器で除湿された空気の加熱が行われ、加熱された空気を温風送風機で水槽を介した通風路を循環させて内槽内の衣類の乾燥が行われている。一方、冷房運転を行うべく室内に冷風を吹出させる場合には、乾燥運転時とは逆方向の空気流とし、蒸発器で冷却された冷風が、吐出用送風機により吐出風路から斜め上方へ吹き出される。
【特許文献１】特開２００７−１３５８３２号公報
【発明の開示】
【発明が解決しようとする課題】
【０００５】
上記冷房運転によれば、一般的に冷たい空気は下方に溜まり易いことから、冷風を上方へ吹出すことは、室内の冷房には有効である。
これに対し、上記冷房手段に加えて暖房手段を設けることが考えられている。例えば、上記構成の洗濯乾燥機の通風路に専用のヒータを設け、このヒータで加熱された空気を、吐出用送風機で吐出風路から斜め上方へ吹出す構成がことも考えられる。この場合、温かい空気は上方に溜まり易いことから、ヒータで加熱された空気は、吐出風路からまっすぐ斜め上方に向かって進むため、室内を有効に循環する作用が得難い。
【０００６】
このため、室内の下方、特に使用者の足元はなかなか温まらない等の問題を有する。又、冷房運転にあっても、冷風の吹出し方向を固定することは、使用者の好みに応じられず、使い勝手が良いとは言えない。
【０００７】
本発明は上述の問題を解決すべく、冷風及び温風を、適正な方向に吹出すようにして室内を良好に循環させ効率の良い冷暖房効果が期待できる洗濯乾燥機を提供することを目的とする。
【課題を解決するための手段】
【０００８】
上記目的を達成するために、本発明の洗濯乾燥機は、外郭を形成する本体と、前記本体内に弾性支持された水槽と、前記水槽内に回転可能に設けられ、洗濯物の洗い、脱水、乾燥に用いられる回転槽と、前記水槽に設けられた空気の出入口に連通接続され、空気を循環可能とする循環路と、前記循環路中に設けられ、前記水槽内に空気を循環供給するための循環ファンと、前記循環路に設けられ、前記本体内の空気を当該循環路内に導入可能とする導入口と、前記循環路の前記導入口から導入される空気を加熱する加熱手段と、前記循環路から分岐して形成され、前記本体に形成された吹出口に連通した送風路と、前記送風路及び前記吹出口を経て前記本体外へ空気を吹出す送風ファンと、前記送風路中に設けられ、前記吹出口から吹出される送風の向きを上下方向に変更するため、前記吹出口を臨む開口部が回動変位するルーバーと、前記送風路を、前記循環路に対して連通及び遮断状態に切替えるべく設けたダンパ装置と、前記循環路に蒸発器と凝縮器とを介在するとともに、圧縮機及び膨張弁を具備した冷凍サイクルを有し、乾燥運転時に循環する空気を温風化する加熱手段として機能するヒートポンプと、前記送風ファンを駆動し、循環空気と逆方向の空気流を、前記ヒートポンプの蒸発器を通して冷風化し、この冷風を前記送風路及び吹出口から吹出し可能とした冷風吹出手段と、前記送風ファンを駆動し、前記導入口から導入した空気を前記加熱手段により温風化し、この温風を前記送風路及び吹出口から吹出し可能とした温風吹出手段と、洗濯物の洗い、脱水、乾燥運転、前記ルーバーの回動、前記冷風吹出手段及び前記温風吹出手段等を制御する制御手段とを備え、
前記制御手段は、前記冷風吹出手段を実行するとき、前記吹出口に対し前記ルーバーの開口部を上位に回動し、前記温風吹出手段を実行するときは、前記吹出口に対し前記ルーバーの開口部を下位に回動して、送風方向を変更するようにしたことを特徴とする（請求項１の発明）。
【発明の効果】
【０００９】
上記手段によれば、ダンパ装置の切替えにより送風路を循環路と連通させ、送風ファンを駆動して導入口から導入した空気を蒸発器を利用した、つまり冷風吹出手段にて冷風化し、又、ヒータを利用した温風吹出手段にて温風化して、共通の送風路から吹出口を経て外部（室内）に吹出させることができ、簡単な構成にて冷暖房機能を提供できる。
【００１０】
そして、冷風吹出手段を実行するときは、ルーバーの開口部を上位に回動して冷風を吹出し、温風吹出手段を実行するときは、ルーバーの開口部を下位に回動して温風を吹出すようにした。従って、室内の上方に向けて吹出された冷風は、上方から室内の下方に移動し易く、又、室内の下方に向けて吹出された温風は、下方から室内の上方に移動し易く、この結果、洗濯乾燥機の本体の吹出口から吹出された冷風及び温風を、室内に効率良く循環させることができ、効果的な冷暖房効果が期待できる洗濯乾燥機を提供できる。
【発明を実施するための最良の形態】
【００１１】
以下、本発明をドラム式の洗濯乾燥機に適用して示す一実施例につき、図１乃至図７を参照して説明する。そのうち、図１は洗濯乾燥機の全体構成の概要を示す縦断側面図、図２は外観斜視図で、まずこれら図１，２に基づき全体構成につき説明する。
【００１２】
洗濯乾燥機の外郭を形成する矩形箱状の本体１は、正面を形成する前面板１ａ、左右の側面板１ｂ，１ｃ、後面板１ｄ、上部の天面板１ｅ、及び底部を形成する台板１ｆ等を組立て結合して構成されている。前面板１ａは、全体に後方に傾斜し緩やかな円弧状をなすとともに、各構成部材からなる外表面は略面一となるように、所謂整合した形態をなしている。この前面板１ａの上部には、詳細は後述する操作パネル２が配設され、操作パネル２の下位にドア３を有している。又、前面板１ａと台板１ｆとの間には、該前面板１ａを構成するところの吹出口４を有する下部枠５が取付固定されている。
【００１３】
前記本体１の内部には、実質的に無孔状で円筒状をなす水槽６が配設されている。水槽６の内部には、洗濯物の洗い、脱水、乾燥に用いられる回転槽たるドラム７が配設されている。ドラム７は、周壁に多数の透孔８を有し横軸周りに回転可能である。これら、水槽６及びドラム７は、共に前面側（図示左側）を大きく開口して、前記ドア３と対向配置しており、且つ若干前上がりの傾斜状態に軸支されるよう水槽６が弾性支持装置９を介して本体１の台板１ｆ上に弾性支持されている。しかして、ドア３の開放口と水槽６の前面開口との間は、衣類の投入口として機能するとともに、弾性的に伸縮可能なベローズ１１が水密に連結され、水槽６側から本体１内への水の漏洩等を防止する閉空間を形成している。
【００１４】
そして、ドラム７の胴部には洗濯物をかき上げるための複数のバッフル１２を形成していて、該ドラム７は回転駆動されることで特に洗いや乾燥時等に洗濯物を撹拌するに有用としている。このドラム７は、水槽６の背面に設けられたモータ１３にてダイレクトに駆動される。このモータ１３は、例えばアウタロータ形のＤＣブラシレスモータからなり、そのロータ１３ａに連結された回転軸１４に、水槽６を貫通してドラム７が直結されている。又、水槽６底部の後方最下部には、排水口１５が形成され途中に排水弁１６を介した排水管１７が連通接続され、その先端側は機外たる本体１から外部に導出され所定の排水場所に排水可能とする排水手段を構成している。
【００１５】
一方、水槽６には互に離間した位置に空気の出入口が設けられ、この出入口に連通接続され、水槽６内の空気を循環可能とする循環路２０を備えている。例えば、本実施例における出口２１は、水槽６の前面側の上方部分に形成され、入口２２は水槽６の背面側の上方部分に開口した構成としていて、これらに接続された循環路２０は、水槽６の下方を迂回して連通した構成としている。この循環路２０は、具体的には、水槽６と、水槽６の出口２１に接続された排気ダクト２３と、水槽６の入口２２に接続された給気ダクト２４と、排気ダクト２３の他端に接続された蛇腹状の伸縮継手２５と、給気ダクト２４の他端に接続された蛇腹状の伸縮継手２６と、伸縮継手２５の他端に接続された中間ダクト２７と、この中間ダクト２７と伸縮継手２６間に接続された熱交換ダクト２８とから構成されている。
【００１６】
上記の循環路２０中の熱交換ダクト２８の内部には、前部である循環空気の上流側に蒸発器３１が、その後部である循環空気の下流側に凝縮器３２が、夫々介在されている。これらの蒸発器３１及び凝縮器３２は、いずれも詳しくは図示しないが、冷媒流通パイプに伝熱フィンを細かいピッチで多数配設して成るフィン付きチューブ形のもので、これを熱交換ダクト２８内に配置したもので、従って、循環空気がそれらの伝熱フィンの各間を後述のように流れることで熱交換が行われる。
【００１７】
又、蒸発器３１及び凝縮器３２は、図４に示す圧縮機３３及び膨張弁（特には電子式の絞り弁もしくはキャピラリチューブ）３４と共にヒートポンプ３５を構成するものである。ヒートポンプ３５は、接続パイプ３６によって、圧縮機３３、凝縮器３２、膨張弁３４、蒸発器３１、及び圧縮機３３の順にこれらをサイクル接続されており（冷凍サイクル）、圧縮機３３が作動することによって冷媒が循環され、洗濯物乾燥用の空気を温風化する加熱手段として機能する（詳細は後述する）。尚、圧縮機３３は本体１内で熱交換ダクト２８外に配設されている。
【００１８】
そして、循環路２０を構成する給気ダクト２４の下端部で熱交換ダクト２８の下流側の端部には、循環ファン３７が配設されている。循環ファン３７は、水槽６内に空気を循環供給するためのもので、給気ダクト２４から水槽６への方向（図１中の実線矢印参照）に流れる循環空気を生成する。
【００１９】
一方、循環路２０中の中間ダクト２７の上面側には、蒸発器３１の循環空気の入口側である上流側に位置して、循環空気の一部を排出する排気口３８が形成されている。
又、循環路２０中の熱交換ダクト２８の上面側には、蒸発器３１の出口側である下流側に位置して、本体１内の空気を循環路２０内に導入可能とする導入口３９が形成されている。一方、本体１の下部枠５の下部には、外気の吸気口４０が形成されている。これにより、本体１外（洗濯乾燥機が設置されている室内）の空気は、吸気口４０を介して本体１内に取込まれ、導入口３９から循環路２０内への空気の導入が容易となる。
【００２０】
ここで、本実施例における排気口３８及び前記導入口３９も含めて、その機能につき説明する。冷凍サイクルの特徴として凝縮器３２の放熱熱量が蒸発器３１の冷却熱量より勝ること、及び洗濯物の乾燥が進むに伴ない循環空気全体が温度上昇するなどにより、冷凍サイクルの冷媒が有する熱量が増して圧力が高まり、圧縮機３３に過負荷がかかるおそれがある。このため、蒸発器３１の上流側に循環空気の一部を排出するために、排気口３８が設けられている。そして、この空気の排出を補うため、本体１内の空気を循環路２０内に補給する前記導入口３９が設けられている。
【００２１】
しかるに、本実施例に示す導入口３９には、加熱手段として、例えばＰＴＣヒータ４２が装填して設けられている。ＰＴＣヒータ４２は、後述する暖房運転時に導入口３９から循環路２０内に導入される空気を加熱するためのものである。
【００２２】
又、循環路２０中の中間ダクト２７には、熱交換ダクト２８に対して排気ダクト２３側と分岐して送風路４３が形成されている。送風路４３の周辺について、図３を用いて説明する。送風路４３の他端は、本体１を構成する下部枠５に形成した吹出口４に連通している。具体的には、送風路４３は中間ダクト２７の熱交換ダクト２８側と前記吹出口４との間を、ファンケーシング４４の入口部４４ａと出口部４４ｂを通して連通する構成としている。
【００２３】
この熱交換ダクト２８、従って循環路２０と送風路４３とが分岐する連通部分には、ダンパ装置４５が設けられている。ダンパ装置４５は、具体的には、上端部を支軸４６により上下に回動可能に支持されている。このダンパ装置４５は、図示しないステッピングモータにて駆動され、送風路４３の入口部４４ａを、循環路２０に対して連通及び遮断状態を切替える機能を有している。そして、ダンパ装置４５は、通常は循環路２０側を連通した状態に保持され、これに対し、詳細は後述するが冷暖房運転時には入口部４４ａ側を開放して循環路２０側を閉鎖するよう制御される。このとき、中間ダクト２７に形成した排気口３８も、該ダンパ装置４５にて同時に閉鎖されるようにしている。
【００２４】
又、循環路２０の中間ダクト２７のダンパ装置４５を設けた位置より上流側には、フィルタ装置４７が備えられている。フィルタ装置４７は、循環路２０内を循環する空気中から糸屑などのリントを捕獲するための着脱可能なフィルタ部材４８と、該フィルタ部材４８の一端を本体１外まで延出して一体的に形成されたフィルタパネル４９とから構成されている。このフィルタパネル４９は、下部枠５の表面と略面一にあって、これに手を掛けて容易に引出せる構成をなすとともに、本実施例では前記吹出口４の上辺部を形成している。
【００２５】
前記送風路４３の内部には、横流ファンからなる円筒状の送風ファン５１が配置されている。送風ファン５１は、循環路２０内の空気を送風路４３及び吹出口４を経て本体１外（室内）に吹出すものであり、後述する冷房運転及び暖房運転に必要な冷風及び温風吹出手段を構成している。尚、ファンケーシング４４の出口部４４ｂ部分は、円弧状をなすとともに、該出口部４４ｂは下部枠５の吹出口４と近接対応して開口し、従って該吹出口４を含む周辺の壁面５２も円弧状に形成されている。
【００２６】
又、送風路４３の出口、即ち、ファンケーシング４４の出口部４４ｂには、図１及び図３に示すように、ファンケーシング４４の出口部４４ｂの円弧状に沿う半円弧状をなしたルーバー６１が設けられており、このルーバー６１は、ステッピングモータ等のモータ６２によって回動駆動される。
【００２７】
このルーバー６１は、半円弧状をなした一部に、格子状の開口部６１ａを有して、送風ファン５１からの送風がこの開口部６１ａを通って吹出される構成である。ここで、開口部６１ａは前記吹出口４を臨む範囲内に開口しており、図３に示すように、開口部６１ａの上下方向の吹出範囲Ａは、角度で表すと、６０°に設定してある。この開口部６１ａの上端部には、無孔形状の遮蔽部６１ｂが形成されていて、詳細は後述するが、ファンケーシング４４の出口部４４ｂを完全に塞ぐように機能する。
【００２８】
前記ルーバー６１が、モータ６２の回動軸６２ａを中心に回動したとき、図３に示すように、その回動範囲を規制するストッパー６３，６４が夫々設けられており、本実施例のルーバー６１の回動範囲は、モータ６２の回動制御及びストッパー６３，６４によって、出口部４４ｂをルーバー６１の遮蔽部６１ｂが完全に塞ぐ位置、即ち、ルーバー６１の開口部６１ａの上端部が出口部４４ｂの下端部と一致する位置（後述する図７（ａ）参照）から、ルーバー６１の開口部６１ａの上端部が出口部４４ｂの上端部と一致する位置（後述する図７（ｂ）参照）までに規制されている。
【００２９】
ここで、ルーバー６１の開口部６１ａが、開口部６１ａの下端部と出口部４４ｂの下端部とが一致する位置（後述する図７（ｃ）参照）から、開口部６１ａの上端部と出口部４４ｂの上端部とが一致するまでの範囲内に位置する場合に、吹出口４から有効に送風を行うことができ、この吹出口４から有効に送風できる範囲を全吹出範囲Ｂとして図３に示す。そして、ルーバー６１の開口部６１ａの位置を、全吹出範囲Ｂ内で変更することで、吹出口４から吹出される送風の向きを上下方向に変更することが可能になる。尚、このルーバー６１の作用については、図７に基づき、後の作用説明で詳細に述べる。
【００３０】
このほか、図１に示す本体１内の上部には、詳細な説明は省略するが、電源系の制御部６５と、表示系の制御部６６、給水弁６７、給水ケース６８、給水ホース６９が設けられている。
【００３１】
ここで、前記操作パネル２の機能につき具体的に説明すると、図５の正面図に示すように、大略操作部７１、表示部７２を有した構成としている。因みに図５（ａ）は、表示部７２の表示内容「ＣＯＯＬ」から明らかなように「冷房」運転状態を示したもので、図５（ｂ）は同様に「暖房」運転状態を示したもので、いずれも詳細は後述する。
【００３２】
前記操作部７１は、押圧可能に設けた電源スイッチキー７３と、押圧可能に設けたスタート兼一時停止ボタン７４と、このスタート兼一時停止ボタン７４の周囲部分を回動可能に設けた時間設定用のダイヤル７５と、その他押圧可能に設けたスイッチキー群７６（詳細は後述する）から構成されている。
【００３３】
そのうち、電源スイッチキー７３は、周知のように洗濯乾燥機の電源の入切を行うためのものであり、スタート兼一時停止ボタン７４は、選択された運転コースの開始及び実行中の運転コースの一時停止を行うためのものである。
【００３４】
ダイヤル７５は、左右両方向に回動可能に設けられ、これを所定角度だけ右方向へ回動操作すると、その回転量に応じて冷暖房運転の時間を設定することを可能としている。
上記したスイッチキー群７６は、「洗濯／↑」「洗乾」「乾燥／↓」及び「冷風／温風」の各運転コースに対応したスイッチキー８１，８２，８３，８４と、スイングスイッチキー８５とから構成されている。
【００３５】
そのうちのスイッチキー８１，８２，８３，８４は、冷暖房運転が行われていないときに押圧操作されると、押圧操作されたスイッチキーに対応した「洗濯」「洗乾」「乾燥」及び「冷風／温風」の運転が実行される。
【００３６】
これに対し、冷暖房運転が行われているときは、スイッチキー８１が１回押圧操作されると、モータ６２が駆動制御され、ルーバー６１の開口部６１ａが２．５°だけ上方に回動変位され、スイッチキー８３が１回押圧操作されると、ルーバー６１の開口部６１ａが２．５°だけ下方に回動変位され、以って、これらスイッチキー８１及び８３でルーバー６１の開口部６１ａの風向きが変更できる構成になっている。従って、スイッチキー８１及び８３がルーバー６１を回動可能な風向操作部として機能する。
【００３７】
尚、スイッチキー８１或いはスイッチキー８３を長押しすると、ルーバー６１の開口部６１ａは連続的に回動変位し、ルーバー６１の上端部或いは下端部がストッパー６３或いはストッパー６４に当接すると、停止するように制御される。一方、これらスイッチキー８１，８２，８３，８４の各スイッチキーの領域内には、ライト８１ａ，８２ａ，８３ａ，８４ａが配設されており、いずれかのスイッチキーが押圧操作されると、押圧操作されたスイッチキーに対応するライトが点灯する構成になっている。
【００３８】
又、冷暖房運転時にスイングスイッチキー８５が押圧操作されると、ルーバー６１の開口部６１ａ（吹出範囲Ａに相当）が吹出口４の全開口範囲（全吹出範囲Ｂに相当）内を、例えば約１０秒で１往復する回動駆動が開始される。
【００３９】
尚、表示部７２には、洗剤量、残り時間、予約時刻、冷暖房状態、現在時刻等の情報が表示されるようになっている。又、操作パネル２には、他にも「洗い」「すすぎ」「脱水」「乾燥」を選択できるボタン等が設けられ、個々の運転時間等を調整可能としている。
【００４０】
図６は、概略的に示す電気的構成図で、電源系の制御部６５と表示系の制御部６６とを含む制御装置９１を示している。この制御装置９１は、例えばマイクロコンピュータからなるものであり、洗濯乾燥機の作動全般（例えば、洗い、脱水、乾燥運転）の各種運転コースの制御をはじめ、ルーバー６１の回動、後述する冷風吹出手段、温風吹出手段、その他ダンパ装置４５や、冷凍サイクル、循環ファン３７等を制御する制御手段として機能する。又、この制御装置９１には、操作パネル２の操作部７１等から操作信号が入力されると共に、水槽６内の水位を検知するように設けた水位センサ９２から水位検知信号が入力されるようになっている。
【００４１】
しかして、制御装置９１は、上記各種信号の入力並びにあらかじめ記憶した制御プログラムに基づいて、モータ１３、循環ファン３７、圧縮機３３、膨張弁３４、ＰＴＣヒータ４２、ダンパ装置４５、送風ファン５１、給水弁６７、排水弁１６、ルーバー６１のモータ６２を、駆動回路９３を介して制御する。尚、図示はしないが、制御装置９１は、操作パネル２の操作部７１等にて各種設定操作されると、操作された操作内容に対応した表示を表示部７２に表示等の制御も行う。
【００４２】
そして、制御装置９１は、冷房運転が操作設定されると、即ち、冷風吹出手段は、図１，３に示すダンパ装置４５を二点鎖線で示すように駆動し、送風路４３を循環路２０側と連通させるように切替え、送風ファン５１を駆動させて、本体１内の空気を導入口３９から循環路２０内に導入させ、導入した空気を、循環空気とは逆方向へ送風させる（図中破線矢印参照）。このような循環空気と逆方向の空気流を、作動状態のヒートポンプ３５の蒸発器３１を通過させることで冷風化し、この冷風を送風路４３から吹出口４を経て外部に吹出するよう制御する。
【００４３】
上記に対し、暖房運転が操作設定された場合には、温風吹出手段を実行する。即ち、温風吹出手段は、図１，３に示すダンパ装置４５を二点鎖線で示すように駆動し、送風路４３を循環路２０側と連通するように切替え、送風ファン５１を駆動させて、本体１内の空気を導入口３９から導入し、導入される空気をＰＴＣヒータ４２で温風化し、図中の破線矢印で示すように、蒸発器３１を通過し（この場合、蒸発器３１は非作動状態で冷却作用はない）、この温風を送風路４３から吹出口４を経て外部に吹出する制御を行う。
【００４４】
更に、制御装置９１は、冷風吹出手段を実行する場合に、吹出口４に対しルーバー６１の開口部６１ａを上位に回動変位させる制御を行い、温風吹出手段を実行する場合に、吹出口４に対しルーバー６１の開口部６１ａを下位に回動変位して、送風方向を変更する制御を行う。
【００４５】
又、制御装置９１は、冷風又は温風吹出手段を実行した後に、ルーバー６１を回動変位して出口部４４ｂを遮蔽部６１ｂで覆い、結果として吹出口４を閉鎖状態に維持する制御を行う。他にも、冷暖房運転時に、制御装置９１は、前記したように風向操作部であるスイッチキー８１又は８３が押圧操作されると、スイッチキー８１又は８３の押圧操作に対応してルーバー６１を回動変位させ、スイングスイッチキー８５が押圧操作されると、ルーバー６１を上下方向に回動駆動させる制御を行う。
【００４６】
この制御装置９１は、冷風及び温風吹出手段を実行したときのルーバー６１の開口部６１ａの位置データを記憶する記憶手段、例えばメモリ９１ａを有しており、次の冷風又は温風吹出手段を実行するときに、開口部６１ａがメモリ９１ａに記憶された直前の開口部６１ａの位置に設定されるようにルーバー６１を回動駆動する制御を行い、冷風及び温風吹出手段が終了時に、ルーバー６１の開口部６１ａの位置データをメモリ９１ａに記憶する制御を行う。
【００４７】
次に、上記構成の洗濯乾燥機の作用について、特にルーバー６１の作用については図７を参照して詳細に述べる。図７はルーバー６１の近傍部分を拡大して示すもので、図７（ａ）は洗濯乾燥機の停止及び各種洗濯運転（洗濯、脱水、乾燥運転）コースが実行されているときのルーバー６１の開口部６１ａの位置を示し、図７（ｂ）は、冷房運転時のルーバー６１の開口部６１ａの位置を示し、図７（ｃ）は暖房運転時のルーバー６１の開口部６１ａの位置を示している。
【００４８】
まず、通常の洗濯物の運転を行う場合について説明する。
例えば、洗濯から乾燥まで行う操作パネル２の「洗乾」コースのスイッチキー８２（図５参照）が選択されると、標準的な運転コースが開始される。「洗乾」コースの概略説明をすると、最初に洗濯（洗い及びすすぎ）運転が開始される。この洗濯運転では、給水弁６７にて水槽６内に給水する動作が行われ、続いて、モータ１３が駆動されることにより、ドラム７が低速で正逆両方向に交互に回転される。
【００４９】
洗濯運転が終了すると、次に、脱水運転が開始される。この脱水運転では、水槽６内の水を排出した後、ドラム７を高速で一方向に回転させる動作が行われる。これにより、ドラム７内の洗濯物は遠心脱水される。
【００５０】
脱水運転が終了すると、次に、乾燥運転が実行される。この乾燥運転では、ダンパ装置４５が、図１或いは図３に実線で示すように、送風路４３を循環路２０から遮断し、循環路２０を連通状態に保持される。この状態で、ドラム７を低速で正逆両方向に回転させつつ、循環ファン３７を駆動させる。すると、循環ファン３７の正回転による送風作用で、循環路２０内に図１に実線矢印で示すように空気流が生成される。しかるに水槽６内の空気は、出口２１から循環路２０の排気ダクト２３及び伸縮継手２５を経て熱交換ダクト２８内に流入する。又、このときに、ヒートポンプ３５の圧縮機３３の作動が開始される。
【００５１】
ヒートポンプ３５の作動により、冷媒が圧縮機３３により圧縮されて高温高圧の冷媒となり、凝縮器３２に流れる。そこで、熱交換ダクト２８を流れる空気と熱交換し、その結果、空気が加熱温風化され、反対に冷媒の温度は低下して液化される。この液化された冷媒が、次に膨張弁３４を通って減圧された後、蒸発器３１に流入し気化する。それにより、蒸発器３１は熱交換ダクト２８を流れる空気を冷却する。蒸発器３１を通過した冷媒は圧縮機３３に戻る。
【００５２】
このように、前記水槽６内から熱交換ダクト２８内に流入した空気は、蒸発器３１で冷却されて除湿され、その後に凝縮器３２で加熱されて温風化される。そして、その温風が伸縮継手２６、給気ダクト２４を経て、入口２２から水槽６内に供給され、更に、透孔８からドラム７内に供給される。
【００５３】
ドラム７内に供給された温風は洗濯物の水分を奪った後、前記出口２１から排気ダクト２３及び伸縮継手２５を経て熱交換ダクト２８内に流入する。
このようにして、蒸発器３１と凝縮器３２を有する熱交換ダクト２８と水槽６との間を空気（温風）が循環することにより、ドラム７内の洗濯物が乾燥される。
【００５４】
そして、図７（ａ）に示すように、ルーバー６１の遮蔽部６１ｂは、洗濯乾燥機の停止及び各種洗濯運転（洗濯、脱水、乾燥運転）を行っている間、出口部４４ｂを塞いだ位置にあって、これは結果的に吹出口４を閉鎖された形態に保持される。これにより、埃等の異物がルーバー６１を通してファンケーシング４４や送風路４３内に入るのを防止している。
【００５５】
次に、冷房運転を行う場合について説明する。冷房運転は、洗濯乾燥機の停止及び各種洗濯運転（洗濯、脱水、乾燥運転）を行っていないときに実行可能であり、このとき、使用者が、操作パネル２のスイッチキー８４（図５参照）を１回押圧操作すると、表示部７２には、図５（ａ）に示すように、「ＣＯＯＬ」の文字が点灯表示され、スイッチキー８４のライト８４ａが青色に点灯表示される。次いで、使用者がダイヤル７５を回動させて冷房運転の時間を設定し、スタート兼一時停止ボタン７４を押圧操作すると、冷房運転が開始されるとともに、ドア３がロックされる。尚、前記スイッチキー８４は、押圧操作する毎に、「停止」状態から「冷房」−「暖房」−「停止」の順に設定される。
【００５６】
冷房運転では、制御装置９１は、前記冷風吹出手段を実行するとともに、水槽６やドラム７内の臭気が逆流して吹出口４から放出しないように、循環ファン３７を正回転させて、水槽６内に空気を送り加圧状態に保つことで逆流を防ぎ臭気を閉じ込めるようにしている。この場合、送風ファン５１の風量が低下する等の影響を与えないように、循環ファン３７を低速回転に制御する。
【００５７】
又、冷房運転が設定されるとともに、ルーバー６１の開口部６１ａは、メモリ９１ａに記憶された直前の開口部６１ａの位置に設定される。例えば、直前の冷房運転時の使用状態が、図７（ｂ）に示す位置設定がなされていた場合には、吹出口４を臨む範囲内でルーバー６１の開口部６１ａは最も上位に回動した位置に設定され、室内の上方へ向かって吹出すことを可能としている。即ち、同図（ｂ）に示すように開口部６１ａは、全吹出範囲Ｂ中のうちの最も上位を占める位置にあって、吹出範囲Ａによる冷風を吹出す。これにより、冷風は室内の上方に向けて吹出され、上方から室内の下方にして循環する。
【００５８】
冷房運転が設定時間に達すると、制御装置９１は、冷風吹出手段を停止させて、ルーバー６１の開口部６１ａの位置をメモリ９１ａに記憶し、遮蔽部６１ｂで出口部４４ｂを塞ぎ（同図（ａ）参照）、吹出口４を閉鎖状態とする。
【００５９】
次に、暖房運転を行う場合について説明する。暖房運転は、冷房運転の場合と同様に、洗濯乾燥機の停止及び各種洗濯運転を行っていないときに実行可能であり、このときに、使用者が操作パネル２のスイッチキー８４（図５参照）を停止状態から２回押圧操作すると、表示部７２には、図５（ｂ）に示すように、「ＨＯＴ」の文字が点灯表示され、スイッチキー８１のライト８２が赤色に点灯表示される。次いで、使用者がダイヤル７５を回動させて暖房運転の時間を設定し、スタート兼一時停止ボタン７４を押圧操作すると、暖房運転が開始されるとともに、ドア３がロックされる。
【００６０】
暖房運転では、制御装置９１は、前記温風吹出手段を実行するとともに、水槽６やドラム７内の臭気が逆流して吹出口４から放出しないように、循環ファン３７を、冷房運転の場合と同様に低速回転に制御する。
【００６１】
又、暖房運転が設定されるとともに、ルーバー６１の開口部６１ａは、メモリ９１ａに記憶された直前の暖房運転時の開口部６１ａの位置に設定される。例えば、直前の暖房運転時の使用状態が、図７（ｃ）に示す位置設定がなされていた場合には、冷房運転時と共通の吹出口４に対しルーバー６１の開口部６１ａを、冷房運転時の開口部６１ａの位置よりも下位に回動し、室内の下方へ向かって吹出す下位に設定される。即ち、同図（ｃ）に示すように開口部６１ａは、全吹出範囲Ｂ中のうちの最も下位を占める位置にあって、吹出範囲Ａによる温風を吹出す。これにより、温風は、室内の下方に向けて吹出され、下方から室内の上方に移動して循環する。
【００６２】
暖房運転が設定時間に達すると、制御装置９１は、温風吹出手段を停止させて、ルーバー６１の開口部６１ａの位置をメモリ９１ａに記憶し、遮蔽部６１ｂで出口部４４ｂを塞ぎ（同図（ａ）参照）、吹出口４を閉鎖状態とする。
【００６３】
尚、上記各冷暖房運転時に、前述したように風向操作部であるスイッチキー８１及び８３が押圧操作されると、スイッチキー８１及び８３の押圧操作に対応してルーバー６１が回動角度２．５°毎に回動変位して開口部６１ａの位置設定が使用者の好みに応じて任意に設定できる。又、スイングスイッチキー８５が押圧操作された場合には、ルーバー６１が上下方向に連続して往復する回動駆動が行われ、上下方向に連続して冷風や温風を吹出すことができる。
【００６４】
このように本実施例によれば、次のような効果を奏する。
冷暖房運転時に、ダンパ装置４５の切替えにより送風路４３を循環路２０と連通させ、送風ファン５１を駆動して導入口３９から空気を導入する。そして、冷房運転時には蒸発器３１を利用した、つまり冷風吹出手段にて冷風化し、又、暖房運転時には加熱源としてＰＴＣヒータ４２を利用した温風吹出手段にて温風化して、共通の送風路４３から吹出口４を経て外部（室内）に吹出させることができるので、簡単な構成で冷暖房機能を備えた洗濯乾燥機を提供できる。
【００６５】
そして、冷風吹出手段を実行するときは、ルーバー６１の開口部６１ａを上位に回動して冷風を吹出し、温風吹出手段を実行するときは、ルーバー６１の開口部６１ａを下位に回動して温風を吹出すようにした。従って、室内の上方に向けて吹出された冷風は、上方から室内の下方に移動し易く、又、室内の下方に向けて吹出された温風は、下方から室内の上方に移動し易く、この結果、洗濯乾燥機の本体１の下部の吹出口４から吹出された冷風及び温風を、室内に効率良く循環させることができ、効果的な冷暖房効果が期待できる洗濯乾燥機を提供することができる。
【００６６】
更に、ルーバー６１を回動可能な風向操作部のスイッチキー８１及び８３を設け、ルーバー６１を任意の回動位置に設定できるようにしたので、使用者の好みや室内環境に応じた風向に容易に対応することができる。
【００６７】
又、洗濯乾燥機の停止及び各種洗濯運転（洗濯、脱水、乾燥運転）を行っている間は、ルーバー６１の遮蔽部６１ｂで出口部４４ｂ、従って吹出口４を塞ぐようにしたので、特に異物がファンケーシング４４や送風路４３内に侵入するのを防止できる。
【００６８】
加えて、制御装置９１は、直前の冷風又は温風吹出手段を実行したときのルーバー６１の開口部６１ａの位置を記憶するメモリ９１ａを具備しているので、次の冷風又は温風吹出手段を実行するときに、前記記憶した位置に開口部６１ａを設定でき、ルーバー６１の開口部６１ａ位置を再度調整することなく、使用者の好みの室内環境に応じた風向で送風することができる。
【００６９】
尚、本発明は上記し且つ図面に示す実施例に限定されず、次のような変形、拡張が可能である。例えば、ルーバーの風向を調整する風向操作部（スイッチキー）は、運転コースのスイッチキーと兼用せずに、単独に設けても良い。
又、上記実施例では、冷房運転及び暖房運転を時限設定としたが、これに代えて洗濯乾燥機本体に室温検知センサを設けて、室温が所定温度に達するまで行うようにしても良い。
【００７０】
その他、本発明はドラム式の洗濯乾燥機に限らず、垂直軸周りの回転槽を有する洗濯乾燥機にも適用でき、更には吹出口はフィルタ装置とは関係なく単独に形成した形状でも良い等、構成部品の形状等については、一例を挙げたものに過ぎず、本発明の要旨を逸脱しない範囲内で適宜変更して実施し得る。
【図面の簡単な説明】
【００７１】
【図１】本発明をドラム式の洗濯乾燥機に適用した一実施例における全体構成の概略を示す縦断側面図
【図２】同洗濯乾燥機の外観斜視図
【図３】送風路周辺を拡大して示す横断側面図
【図４】ヒートポンプのサイクル構成図
【図５】操作パネルの正面図で、（ａ）は冷房運転状態、（ｂ）は暖房運転状態を夫々説明するための図
【図６】電気的な概略構成図
【図７】ルーバーの近傍部分を拡大して示す縦断側面図で、（ａ）は洗濯乾燥機の停止時及び各種洗濯運転時の閉鎖状態、（ｂ）は冷房運転時の送風状態、（ｃ）は暖房運転時の送風状態を夫々説明するための図
【符号の説明】
【００７２】
図面中、１は本体、４は吹出口、６は水槽、７はドラム（回転槽）、２０は循環路、３１は蒸発器、３２は凝縮器、３３は圧縮機、３４膨張弁、３５はヒートポンプ、３７は循環ファン、３９は導入口、４２はＰＴＣヒータ（加熱手段）、４３は送風路、４５はダンパ装置、５１は送風ファン、６１はルーバー、６１ａは開口部、８１，８３はスイッチキー（風向操作部）及び９１は制御装置（制御手段）を示す。
【図１】
2009034187.tif 000003
【図２】
2009034187.tif 000004
【図３】
2009034187.tif 000005
【図４】
2009034187.tif 000006
【図５】
2009034187.tif 000007
【図６】
2009034187.tif 000008
【図７】
2009034187.tif 000009